(57)【要約】【課題】組立治具を図板上の所定位置に正確に取付けることができるようにすること。【解決手段】底面２２ａとピン保持孔２２ｈとを有する基部本体部２２と、ピン保持孔２２ｈ内に挿通保持された主ピン部材２６と、基部本体部２２の底面２２ａから突出する副ピン部材２８とを有する。主ピン部材２６が、その頭部２６ｂをピン保持孔２２ｈの上端部に係合させた状態で、副ピン部材２８よりも大きく突出可能な長さ寸法に設定されている。【選択図】図１
2008198551.tif 000002
【特許請求の範囲】
【請求項１】
底面と前記底面から上方に向けて貫通するピン保持孔とを有する基部本体部と、前記ピン保持孔内に挿通保持された主ピン部材と、前記主ピン部材の周囲で前記基部本体部の底面から突出する副ピン部材とを有し、前記主ピン部材が、その頭部を前記ピン保持孔の上端部に係合させた状態で前記副ピン部材よりも大きく突出可能な長さ寸法に設定された、基部と、
前記基部上であって前記主ピン部材の上方延長上に取付けられ、線状配線材を保持する保持部材と、
を備えた線状配線材用組立治具。
【請求項２】
請求項１記載の線状配線材用組立治具であって、
前記基部に嵌合部が設けられると共に、
前記保持部材に前記嵌合部と嵌合可能な被嵌合部が設けられ、
前記嵌合部と前記被嵌合部とのうちの一方に、可動部と前記可動部を外方に向けて付勢する付勢部とを有する位置決保持部材が設けられると共に、
前記嵌合部と前記被嵌合部とのうちの他方に、前記可動部が係合可能な凹部が形成され、
前記付勢部の付勢力により前記可動部が前記凹部に係合することで、前記嵌合部と前記嵌合凹部との嵌合状態が維持されて、前記保持部材が前記基部上に着脱自在に取付けられる、線状配線材用組立治具。
【請求項３】
請求項１又は請求項２記載の線状配線材用組立治具であって、
前記主ピン部材の先端部に、抜止め部材が外嵌めされた、線状配線材用組立治具。
【発明の詳細な説明】
【技術分野】
【０００１】
この発明は、複数の電線等を結束してワイヤーハーネスを組立てる際に使用する線状配線材用組立治具に関する。
【背景技術】
【０００２】
一般的に、車両のワイヤーハーネスを製造するにあたっては、事前に開発試作用の組立図板を製作し、これを用いてワイヤーハーネスの試作を行う。
【０００３】
開発試作用の組立図板は、図板上にワイヤーハーネスを保持する組立治具を立設固定することで製造される。
【０００４】
ここで、開発試作用の組立図板では、試作結果や試作対象となるワイヤーハーネスの変更等に応じて、組立治具の位置を適宜修正、変更する必要がある。
【０００５】
このため、図板に組立治具を固定するにあたって、大きな取付孔を形成してしまうと、その取付孔が邪魔になって組立治具取付位置の修正、変更が困難となってしまう。
【０００６】
そこで、特許文献１では、基部に立設されたピンを用いることで、大きな取付孔を形成することなく、組立治具を図板に取付けるようにしている。
【０００７】
【特許文献１】特開平１１−６００６６号公報
【発明の開示】
【発明が解決しようとする課題】
【０００８】
しかしながら、特許文献１に記載の組立治具では、基部の底面の中心部にピンが設けられているため、取付時にピンの先端部が隠れて視認し難く、図板上における所望位置とピンとの位置合わせが困難である。このため、組立治具を図板上の所定位置に正確に取付けることは難しい。
【０００９】
そこで、本発明は、組立治具を図板上の所定位置に正確に取付けることができるようにする技術を提供すること目的とする。
【課題を解決するための手段】
【００１０】
上記課題を解決するため、この線状配線材用組立治具は、底面と前記底面から上方に向けて貫通するピン保持孔とを有する基部本体部と、前記ピン保持孔内に挿通保持された主ピン部材と、前記主ピン部材の周囲で前記基部本体部の底面から突出する副ピン部材とを有し、前記主ピン部材が、その頭部を前記ピン保持孔の上端部に係合させた状態で前記副ピン部材よりも大きく突出可能な長さ寸法に設定された、基部と、前記基部上であって前記主ピン部材の上方延長上に取付けられ、線状配線材を保持する保持部材と、を備えたものである。
【００１１】
この場合に、前記基部に嵌合部が設けられると共に、前記保持部材に前記嵌合部と嵌合可能な被嵌合部が設けられ、前記嵌合部と前記被嵌合部とのうちの一方に、可動部と前記可動部を外方に向けて付勢する付勢部とを有する位置決保持部材が設けられると共に、前記嵌合部と前記被嵌合部とのうちの他方に、前記可動部が係合可能な凹部が形成され、前記付勢部の付勢力により前記可動部が前記凹部に係合することで、前記嵌合部と前記嵌合凹部との嵌合状態が維持されて、前記保持部材が前記基部上に着脱自在に取付けられてもよい。
【００１２】
また、前記主ピン部材の先端部に、抜止め部材が外嵌めされていてもよい。
【発明の効果】
【００１３】
この線状配線材用組立治具によると、前記主ピン部材が、その頭部を前記ピン保持孔の上端部に係合させた状態で前記副ピン部材よりも大きく突出可能な長さ寸法に設定されている。このため、主ピン部材を大きく突出させることで、その先端部を視認しながら図板上の所定位置に突当てることができる。そして、この後、主ピン部材及び副ピン部材を図板に打付けることができる。このため、組立治具を図板上の所定位置に正確に取付けることができる。
【００１４】
また、前記嵌合部と前記被嵌合部とのうちの一方に、可動部と前記可動部を外方に向けて付勢する付勢部とを有する位置決保持部材が設けられると共に、前記嵌合部と前記被嵌合部とのうちの他方に、前記可動部が係合可能な凹部が形成され、前記付勢部の付勢力により前記可動部が前記凹部に係合することで、前記嵌合部と前記嵌合凹部との嵌合状態が維持されて、前記保持部材が前記基部上に着脱自在に取付けられると、保持部材を基部に容易に着脱自在に取付けることができる。
【００１５】
さらに、前記主ピン部材の先端部に、抜止め部材が外嵌めされていると、主ピン部材の脱落を防止できる。
【発明を実施するための最良の形態】
【００１６】
以下、実施形態に係る線状配線材用組立治具について説明する。図１は同線状配線材用組立治具を示す分解斜視図であり、図２は同線状配線材用組立治具の基部を示す正面図であり、図３は同基部の要部断面図である。
【００１７】
この線状配線材用組立治具１０は、車両のワイヤーハーネスを製造するにあたっては、事前に開発試作用の組立図板を製作する際に用いられるものである。つまり、本組立治具１０を開発試作用の図板Ｂの所定位置に立設固定し、電線等の線状配線材Ｗを当該組立治具１０に沿って配設して、これを結束してワイヤーハーネスを試作する。そして、試作結果に応じて線状配線材用組立治具１０の固定位置を調整する。また、ワイヤーハーネスの変更等に応じても線状配線材用組立治具１０の固定位置を調整する。本線状配線材用組立治具１０は、位置調整自在かつ容易に、図板Ｂの適宜位置に立設固定できるようにしたものである。
【００１８】
本線状配線材用組立治具１０は、基部２０と保持部材３０とを有している。
【００１９】
基部２０は、図板Ｂに取付固定される部材であり、基部本体部２２と、主ピン部材２６と、副ピン部材２８とを有している。
【００２０】
基部本体部２２は、底面２２ａと、この底面２２ａから上方に向けて貫通するピン保持孔２２ｈとを有している。より具体的には、基部本体部２２は、金属や樹脂等で形成された扁平な略直方体の部材であり、その一主面である底面２２ａを図板Ｂ上に接触させた状態で、図板Ｂに取付固定される。また、基部本体部２２には、取外用孔部２２ｄが形成されている。この取付用孔部２２ｄは、ピン保持孔２２ｈを挟む２箇所に、基部本体部２２を貫通するように形成されている。また、基部本体部２２の上部略中央部に円筒部２３が立設されており、基部本体部２２の底面略中央部から円筒部２３内を貫通するようにしてピン保持孔２２ｈが形成されている。なお、円筒部２３の上端部外周面は、上方に向けて縮径するテーパ状面２３ａに形成されている。
【００２１】
また、ピン保持孔２２ｈの底面側の端部は、その上方部分よりも拡径した拡径部２２ｈａに形成されている。この拡径部２２ｈａ内に、後述する抜止め部材２７が収容される。
【００２２】
基部本体部２２は、後述する保持部材３０の被嵌合部３３に嵌合可能な嵌合部としても機能する。
【００２３】
主ピン部材２６は、上記ピン保持孔２２ｈ内に挿通自在に保持される部材である。ここでは、主ピン部材２６は、先端部が尖ったピン本体部２６ａと、ピン本体部２６ａの上端部に取付けられた頭部２６ｂとを有している。ピン本体部２６ａの外径は、ピン保持孔２２ｈの内径よりも小さく、従って、ピン本体部２６ａはピン保持孔２２ｈ内を遊挿状に移動可能である。また、ピン本体部２６ａの長さ寸法はピン保持孔２２ｈの長さ寸法に、副ピン部材２８の突出寸法を加算した長さ寸法よりも大きい。さらに、頭部２６ｂは、ピン保持孔２２ｈの内径よりも大きな外径を有する円盤状の部材であり、ピン本体部２６ａより外方に張出している。そして、頭部２６ｂをピン保持孔２２ｈの上部に係合させた状態で、ピン本体部２６ａの先端部がピン保持孔２２ｈを貫通して基部本体部２２の底面２２ａより突出するようになっている。また、このように頭部２６ｂをピン保持孔２２ｈの上部に係合させた状態で、主ピン部材２６の底面２２ａからの突出量Ｌ１が副ピン部材２８の突出量Ｌ２よりも大きくなるように、その長さ寸法が設定されている。なお。主ピン部材２６の突出量Ｌ１は、図板Ｂの裏面に貫通しない程度の大きさ、つまり、図板Ｂの厚みより小さいことがことが好ましい。
【００２４】
また、この主ピン部材２６の先端部には、抜止め部材２７が外嵌めされる。抜止め部材２７は、樹脂等で形成された環状部材である。この抜止め部材２７と主ピン部材２６との間には、ピン保持孔２２ｈからの主ピン部材２６の脱落を防止し得ると共に、後述するように、主ピン部材２６を図板Ｂに打付ける際に妨げにならない程度の摩擦抵抗が作用するように設定されている。
【００２５】
このような主ピン部材２６としては、所望長さを有する一般的な釘等を用いることができる。
【００２６】
副ピン部材２８は、主ピン部材２６の周囲で基部本体部２２の底面２２ａから突出するように設けられており、その先端部は尖っている。なお、この副ピン部材２８は、上記主ピン部材２６とは異なり、突出量Ｌ２が一定となるように固定されている。また、ここでは、副ピン部材２８は、主ピン部材２６を両側から挟込む位置に一対設けられている。
【００２７】
保持部材３０は、基部２０上であって主ピン部材２６の上方延長上に取付けられる。より具体的には、保持部材３０は、取付部３２と、この取付部３２上に立設された線状配線材保持部３４とを有している。
【００２８】
取付部３２は、金属又は樹脂等で形成された略円柱状の部材に形成されており、その下部に、下方に向けて開口する凹状の被嵌合部３３が形成されている。被嵌合部３３は、上記基部本体部２２に対応する略直方体状の凹状に形成され、上記基部本体部２２を嵌め込むようにして嵌合可能に形成されている。
【００２９】
線状配線材保持部３４は、直線状に延びる棒状部３４ａと、略Ｕ字状のＵ字部３４ｂとを有している。Ｕ字部３４ｂは、棒状部３４ａの上端部に上方開口状に取付けられている。そして、このＵ字部３４ｂ内に線状配線材Ｗが載置状に所定位置に支持されるようになっている。なお、線状配線材Ｗを支持する部分は、上記のような略Ｕ字形状に限らず、略Ｙ字状、又は、櫛歯状等、線状配線材Ｗを保持できる形状であればよい。
【００３０】
そして、上記基部本体部２２を被嵌合部３３内に嵌め込むことで、主ピン部材２６の上方延長上に棒状部３４ａを配設した位置及び姿勢で、保持部材３０が基部２０に対して取付される。
【００３１】
また、図３に示すように、被嵌合部３３に、位置決め保持部材としてのボールプランジャ３６が取付られると共に、嵌合部としての基部本体部２２に凹部２２ｃが形成されている。
【００３２】
ボールプランジャ３６は、先端側が開口する筒状体３６ａ内に、可動部としてのボール３６ｂを出退自在に支持すると共に、そのボール３６ｂを付勢部としてのコイルバネ３６ｃで外方、つまり、突出方向に向けて付勢した構成とされている。このボールプランジャ３６は、そのボール３６ｂを凹部２２ｃ内に向けて出退自在に配設した状態で、被嵌合部３３に組込まれている。
【００３３】
また、基部本体部２２の側面であって、基部本体部２２を被嵌合部３３内に嵌め込んだ状態でボール３６ｂと対向する位置に上記凹部２２ｃが形成されている。凹部２２ｃは、ボール３６ｂを部分的に嵌め込むようにして係合可能に形成されている。なお、ここでは、基部本体部２２の両面に凹部２２ｃが形成されている。
【００３４】
そして、上記基部本体部２２を被嵌合部３３内に嵌め込むと、コイルバネ３６ｃで付勢されたボール３６ｂが凹部２２ｃ内に嵌り込むように係合し、前記嵌合状態が維持される。これにより、保持部材３０が基部２０に対して所定姿勢及び所定位置で取付固定される。
【００３５】
また、保持部材３０を所定以上の力で基部２０から引抜くように持上げると、コイルバネ３６ｃの付勢力に抗して、ボール３６ｂが筒状体３６ａ内に退避して凹部２２ｃから抜出る。これにより、保持部材３０を基部２０から取外せるようになる。
【００３６】
なお、上記ボールプランジャ３６を基部本体部２２側に設けると共に、凹部２２ｃを被嵌合部３３側に設けてもよい。
【００３７】
このように構成された線状配線材用組立治具１０の一使用方法について説明する。
【００３８】
まず、図４に示すように、主ピン部材２６を基部本体部２２の底面２２ａから最大量突出させる。この状態で、主ピン部材２６の先端部を図板Ｂ上の所望の取付位置に突当てる。
【００３９】
次に、図５に示すように、主ピン部材２６の先端部を図板Ｂ上の所望の取付位置に突当てたまま、基部本体部２２を押下げるようにして、副ピン部材２８を図板Ｂ上に突当てる。この際、保持部材３０が配線材Ｗの配線形態に応じた所定方向を向くように、基部本体部２２の姿勢を適宜調整しつつ、副ピン部材２８を図板Ｂ上に突当てる。そして、金槌Ｈ等を用いて、主ピン部材２６の頭部２６ｂを叩いて、当該主ピン部材２６の先端部を図板Ｂに打付ける。この際、頭部２６ｂが筒状体３６ａの先端部に当接すると、基部本体部２２に対しても下方に向けた衝撃が加わるので、副ピン部材２８も図板Ｂに打付けられることになる。
【００４０】
なお、この際、主ピン部材２６を図板Ｂ上に打付けた後、所定量打込んでから、副ピン部材２８が図板Ｂに打付けられることになる。この際、主ピン部材２６を図板Ｂ上に打付けた後、副ピン部材２８が図板Ｂに打付けられる前の段階であれば、任意の時点で、副ピン部材２８の図板Ｂに対する突当て位置を調整して、基部本体部２２の姿勢を変更することができる。
【００４１】
そして、図６に示すように、主ピン部材２６の先端部及び副ピン部材２８の先端部が図板Ｂに打付けられることで、基部２０の図板への取付固定が終了する。
【００４２】
この後、基部２０に保持部材３０が取付固定される。そして、本組立治具１０を用いたワイヤーハーネスを試作が行われる。
【００４３】
そして、試作結果又はワイヤーハーネスの変更等に応じて、組立治具１０の位置を適宜修正、変更する必要が生じた場合には、次のようにして組立治具１０を図板Ｂから取外す。
【００４４】
まず、図７に示すように、釘抜き状の取外し治具５０を準備する。この取外し治具５０のヘッド部５２の先端部５２ａは二股状に分れており、それぞれ上記一対の取外用孔部２２ｄに挿入可能に形成されている。そして、取外し治具５０の両先端部５２ａを上記一対の取外用孔部２２ｄに挿入し、取外し治具５０の支点となる部分５２ｂを図板Ｂに当接させつつ、柄５４を傾ける。すると、基部本体部２２が基板Ｂから離間する上方に持上げられ、主ピン部材２６及び拭くピン部材２８が図板Ｂから引抜かれる。これにより、本組立治具１０が図板Ｂから取外される。
【００４５】
そして、上記と同様にして、基部２０を図板Ｂ上の別の位置に取付固定する。この際、図板Ｂには、主ピン部材２６及び副ピン部材２８による小さな孔が形成されているだけなので、別位置に取付ける際の障害にはなり難い。
【００４６】
以上のように構成された配線材用組立治具１０によると、主ピン部材２６が、その頭部２６ｂをピン保持孔２２ｈの上端部に係合させた状態で、副ピン部材２８よりも大きく突出可能な長さ寸法に設定されている。このため、主ピン部材２６を大きく突出させることで、その先端部を図板Ｂ上の所定位置に突当てることができる。この際、基部本体部２２はその突当ての際の視認の妨げとなり難い。そして、この後、主ピン部材２６及び副ピン部材２８を図板Ｂに打付けることができる。このため、組立治具１０を図板Ｂ上の所定位置に正確に取付けることができる。
【００４７】
また、主ピン部材２６の先端の尖りが鈍くなったときや、主ピン部材２６が曲ってしまったような場合にも、主ピン部材２６を容易に交換できる。
【００４８】
また、主ピン部材２６の先端部を図板Ｂ上の所望の取付位置に突当てた後、副ピン部材２８を図板Ｂ上に突当てて基部本体部２２の姿勢を調整できる。このため、主ピン部材２６による位置合わせと、副ピン部材２８による姿勢調整とを別々のタイミングで行うことができ、位置合わせ及び姿勢調整を精度よく行うことができる。
【００４９】
また、基部２０に対する保持部材３０の取付固定を、ボールプランジャ３６を用いて行っているので、保持部材３０を基部２０に対して容易に着脱自在に取付けることができる。
【００５０】
また、主ピン部材２６の先端部に、抜止め部材２７が外嵌めされているので、主ピン部材２６の脱落を有効に防止できる。
【図面の簡単な説明】
【００５１】
【図１】実施形態に係る線状配線材用組立治具を示す分解斜視図である。
【図２】同上の線状配線材用組立治具の基部を示す正面図である。
【図３】同上の基部の要部断面図である。
【図４】基部を図板に取付ける一工程を示す図である。
【図５】基部を図板に取付ける一工程を示す図である。
【図６】基部を図板に取付けた状態を示す図である。
【図７】基部を図板から取外す状態を示す図である。
【符号の説明】
【００５２】
１０  線状配線材用組立治具
２０  基部
２２  基部本体部
２２ａ  底面
２２ｃ  凹部
２２ｈ  ピン保持孔
２６  主ピン部材
２６ｂ  頭部
２７  抜止め部材
２８  副ピン部材
３０  保持部材
３６  ボールプランジャ
Ｂ  図板
Ｗ  線状配線材
【図１】
2008198551.tif 000003
【図２】
2008198551.tif 000004
【図３】
2008198551.tif 000005
【図４】
2008198551.tif 000006
【図５】
2008198551.tif 000007
【図６】
2008198551.tif 000008
【図７】
2008198551.tif 000009